(57)【要約】信号を放射するためのアンテナアセンブリは、第１のグループ１７０及び第２のグループ１８０に分割される少なくとも２つのアンテナを含む。アンテナの両方のグループは、パネル１６０上に実装される。第１の位相調整器２００は、第１のアンテナグループに連結される。第１の位相調整器はまた、上記第２のアンテナグループに連結される第２の位相調整器に連結される。第１の位相調整器は、当該第１の位相調整器の調整が、第２の位相調整器の調整を生じさせるように、当該第２の位相調整器に連結される。第１の位相調整器は、第１のアンテナグループの信号の位相角を調整するために適応される一方で、第２の位相調整器は、上記第２のアンテナグループの信号の位相角を調整するために適応される。
2004521542.tif 000002
【特許請求の範囲】
【請求項１】
複数の放射器と、
上記放射器を相互接続させる伝送路と、
信号給電に接続されるとともに上記伝送路に連結された位相調整器を含む電気機械式の位相調整システムとを備え、
上記位相調整器は、移動及び停止プロセスにおける異なる位相値間の上記相互接続された放射器の信号位相を相対的に調整するために、遠隔の信号ソースからのコマンドに対して反応する電気アクチュエータによって断続的に移動可能な少なくとも１つのコンポーネントを有すること
を特徴とするセルラー基地局アンテナ。
【請求項２】
上記移動可能なコンポーネントは、上記伝送路に容量結合されたアーチ状に移動可能なワイパであること
を特徴とする請求項１記載のセルラー基地局アンテナ。
【請求項３】
上記位相調整器の位置を検出するセンサを含むこと
を特徴とする請求項１記載のセルラー基地局アンテナ。
【請求項４】
上記遠隔のソースは、上記センサに反応すること
を特徴とする請求項３記載のセルラー基地局アンテナ。
【請求項５】
上記位相調整システムは、上記移動可能なコンポーネントに連結された機械アクチュエータを含み、
上記センサは、上記機械アクチュエータの位置を検出すること
を特徴とする請求項３記載のセルラー基地局アンテナ。
【請求項６】
上記遠隔のソースは、上記センサに反応すること
を特徴とする請求項５記載のセルラー基地局アンテナ。
【請求項７】
上記遠隔の信号ソースは、上記電気アクチュエータと無線で通信すること
を特徴とする請求項１記載のセルラー基地局アンテナ。
【請求項８】
複数の放射器が実装されたパネルと、
上記放射器に作動するように連結された信号給電ネットワークと、
上記給電ネットワークにある信号位相調整器と、
直線的に往復運動し、上記位相調整器に連結されるとともに上記パネルの端を越えて位置する終点を有する位相調整機械アクチュエータとを備えること
を特徴とするセルラー基地局アンテナアセンブリ。
【請求項９】
上記信号位相調整器は、回動するように実装されて、上記給電ネットワークにおいて容量結合された位相調整ワイパを含むこと
を特徴とする請求項８記載のセルラー基地局アンテナアセンブリ。
【請求項１０】
上記機械アクチュエータは、上記ワイパに連結され、当該機械アクチュエータの直線運動を上記ワイパのアーチ状の運動に変換するために形成されること
を特徴とする請求項９記載のセルラー基地局アンテナアセンブリ。
【請求項１１】
上記機械アクチュエータは、手動操作と電気アクチュエータによる操作との間の変換に適応されること
を特徴とする請求項８記載のセルラー基地局アンテナアセンブリ。
【請求項１２】
上記給電ネットワークの少なくとも１つの部分を含む第１のプリント回路基板をさらに含み、
上記ワイパは、上記第１のプリント回路基板上に実装されること
を特徴とする請求項９記載のセルラー基地局アンテナアセンブリ。
【請求項１３】
上記アンテナは、上記機械アクチュエータに連結されるとともに当該機械アクチュエータによって操作される第１及び第２の位相調整器を含むこと
を特徴とする請求項８記載のセルラー基地局アンテナアセンブリ。
【請求項１４】
上記第１及び第２の位相調整器は、機械的に連結されること
を特徴とする請求項１３記載のセルラー基地局アンテナアセンブリ。
【請求項１５】
上記機械アクチュエータは、位置ロックを含むこと
を特徴とする請求項８記載のセルラー基地局アンテナアセンブリ。
【請求項１６】
上記第１及び第２の位相調整器は、さらに、
固定プリント回路基板と、
上記固定プリント回路基板上に実装された信号入力端子と、
上記信号入力端子に電磁的に連結されたワイパと、
上記ワイパに電磁的に連結されるとともに、上記信号給電ネットワークの部分を形成し、上記ワイパの移動によって有効長が変化する伝送路とを含むこと
を特徴とする請求項８記載のセルラー基地局アンテナアセンブリ。
【請求項１７】
上記ワイパは、回動するように上記信号入力端子に連結されること
を特徴とする請求項１６記載のセルラー基地局アンテナアセンブリ。
【請求項１８】
上記機械アクチュエータは、遠隔の信号ソースからのコマンドに反応する電気アクチュエータに連結され、当該電気アクチュエータによって機械的に調整されること
を特徴とする請求項８記載のセルラー基地局アンテナアセンブリ。
【請求項１９】
複数の放射器を有するパネルと、
上記放射器に作動するように連結された信号給電ネットワークと、
上記パネル上に位置して上記信号給電ネットワークの部分を形成し、相対的に変位可能な位相調整コンポーネントを有する少なくとも１つの機械式の位相調整器と、
上記パネルから外れて位置し、上記位相調整コンポーネントの少なくとも１つに機械的に連結された電気アクチュエータとを備えること
を特徴とするセルラー基地局アンテナ。
【請求項２０】
上記電気アクチュエータは、機械アクチュエータによって上記位相調整コンポーネントの少なくとも１つに連結されること
を特徴とする請求項１９記載のセルラー基地局アンテナ。
【請求項２１】
上記パネルは、垂直に配設され、上記電気アクチュエータは、上記パネルの下部に位置すること
を特徴とする請求項１９記載のセルラー基地局アンテナ。
【請求項２２】
上記機械アクチュエータは、手動操作への変換に適応されること
を特徴とする請求項２０記載のセルラー基地局アンテナ。
【請求項２３】
上記電気アクチュエータは、遠隔に位置した信号ソースによってコントロールされること
を特徴とする請求項１９記載のセルラー基地局アンテナ。
【請求項２４】
上記機械アクチュエータの位置を検出するためのセンサを含むこと
を特徴とする請求項２０記載のセルラー基地局アンテナ。
【請求項２５】
上記電気なアクチュエータは、上記センサに反応する遠隔に位置した信号ソースによってコントロールされること
を特徴とする請求項２４記載のセルラー基地局アンテナ。
【請求項２６】
上記パネルは、上記信号給電ネットワークの少なくとも１つの部分を含む第１のプリント回路基板を含むこと
を特徴とする請求項１９記載のセルラー基地局アンテナ。
【請求項２７】
上記第１のプリント回路基板上に実装された回転可能なワイパをさらに含み、
上記ワイパは、相対的に変位可能な位相調整コンポーネントをなすこと
を特徴とする請求項２６記載のセルラー基地局アンテナ。
【請求項２８】
上記パネルは、共通の機械アクチュエータに連結されるとともに当該共通の機械アクチュエータによって操作される複数の位相調整器を含むこと
を特徴とする請求項１９記載のセルラー基地局アンテナ。
【請求項２９】
上記電気アクチュエータは、電気モータを含むこと
を特徴とする請求項１９記載のセルラー基地局アンテナ。
【請求項３０】
複数の放射器と、
上記放射器を相互接続させる伝送路と、
上記相互接続された放射器の相対的な位相を変化させるための位相調整システムとを備え、
上記位相調整システムは、さらに、
上記伝送路の部分を形成する印刷導体部を有するプリント回路基板と、
信号給電に接続されるとともに上記印刷導体部に連結された位相調整器とを含み、
上記位相調整器は、移動及び停止プロセスにおける異なる位相値間の上記相互接続された放射器の信号位相を相対的に調整するために形成された断続的に移動可能なコンポーネントを有すること
を特徴とするセルラー基地局アンテナ。
【請求項３１】
上記プリント回路基板に回動するように接続され、上記印刷導体部に容量結合された導電性の層を有する移動可能なプリント回路基板をさらに含むこと
を特徴とする請求項３０記載のセルラー基地局アンテナ。
【請求項３２】
上記位相調整システムは、遠隔の信号ソースからのコマンドに反応する電気アクチュエータによって機械的に操作されること
を特徴とする請求項３０記載のセルラー基地局アンテナ。
【請求項３３】
上記位相調整器と上記電気アクチュエータとの間に接続された機械アクチュエータをさらに含むこと
を特徴とする請求項３２記載のセルラー基地局アンテナ。
【請求項３４】
放射パターン及び地球表面に関しての垂直放射パターンダウンチルト角を有するアンテナアセンブリであって、
パネル上に実装された複数の放射器と、
上記パネル上に実装されたプリント回路基板と、
上記プリント回路基板上に実装され、上記複数の放射器の位相角を調整するために適応された位相調整器とを備え、
上記位相調整器は、アーチ状の伝送路セクションと、上記伝送路セクションと電磁的に結合されたワイパとを有し、
上記ワイパは、上記アーチ状の伝送路セクションの曲率半径と実質的に等しい曲率半径を有するアーチ状部分を有すること
を特徴とするアンテナアセンブリ。
【請求項３５】
上記ワイパは、上記アーチ状の伝送路セクションに実質的に沿った配置で移動すること
を特徴とする請求項３４記載のアンテナアセンブリ。
【発明の詳細な説明】
【技術分野】
【０００１】
本発明は、セルラー基地局アンテナに関する。
【背景技術】
【０００２】
多くの無給電アンテナアセンブリにおいては、アンテナアセンブリがタワーに設置された後に、アンテナアセンブリの放射パターンを調整可能とすることがしばしば望まれている。その必要性は、障害を作り出す新たな構築、植物の成長又は周囲環境における他の変化を含む多くの要因によって発生する。さらに、性能調査によって放射パターンを変化させることや、アンテナがカバーするエリアの形状を変化させることが望まれている。
【０００３】
放射パターンを変化させる方法については様々なものがある。１つの方法は、アンテナアセンブリの位置を物理的に変化させることである。しかしながら、一旦アセンブリがタワーに設置された場合には、この方法は困難となる。個々のアンテナの方位及び高さを変化させることは可能であるものの、複数のアンテナに適用された場合には、そのような方法は高コストとなる。また、方位及び高さを調整するのに必要な機械的な装置は、機械的なアンテナ実装を妨げる。
【０００４】
１つのアンテナアセンブリ上にグループ化された多くのアンテナの放射パターンを調整するために利用されてきた他の方法は、個々のアンテナの位相角を変化させることである。個々のアンテナの位相角の変化により、放射パターンを生じさせる主要ビームは、地球の表面に対して傾けられる。アンテナは、第１のグループ、第２のグループ、及び第３のグループにグループ化される。３つのグループは、全てアンテナアセンブリのパネルに沿って配設される。位相調整器は、当該位相調整器の調整が放射パターンを変化させるようなアンテナグループのうち、２つのアンテナグループ間に配設される。位相調整器は、コンデンサを作るために伝送路と結び付けられた導体部からなる。導体部は、回転可能であり、伝送路上のコンデンサの位置を変化させて当該伝送路に沿って移動する。伝送路は、位相角を有しているアンテナに連結される。位相角は、部分的にコンデンサの位置に依存する。したがって、位相角は、コンデンサの位置を変化させることによって変化する。それら全ての位相角を調整するために、位相調整器は、多くのアンテナに連結されて動作する。
【０００５】
しかしながら、現在使用されている位相調整器は、複数の欠点を有している。第１に、導体部は、エッチングして切断するには高価な真鍮でしばしば作られている。したがって、導体部は、通常、矩形状に切断される。しかしながら、伝送路の経路は、アーチ状である。導体部は、コンデンサで全幅をカバーせず、実効容量を減少させる。
【０００６】
現在の位相調整器に関する他の問題は、当該位相調整器へのパワーディバイダのカップリングである。アンテナアセンブリは、１つのソースから電力を受け取る。しかしながら、アンテナの３つのグループは、それぞれ、異なる電力条件を有している。したがって、パワーディバイダは、アセンブリに接続される必要がある。現在、パワーディバイダは、異なるインピーダンスを有している一連のケーブルである。ケーブルをともに接合しなければならないことから、様々なケーブルの使用は、製造を困難とする。また、肉体労働が要求されることから、エラーが生じる機会は増加する。電力を分割する他の方法は、ＰＣボード上でパワーディバイダを作成し、位相調整器に対してパワーディバイダをケーブル接続することである。これは、いくつかのコストを低減させるものの、欠点としてケーブル接続の拡張使用をいまだ要する。
【０００７】
第３の問題は、位相調整器からの適切な出力に対してアンテナを接続するために異なる長さを有しているケーブルラインの使用によって生じる。位相調整器が"０"にセットされる場合には、各アンテナは、異なるデフォルト位相角を有している。デフォルト位相角は、伝送路の長さと連結されたケーブルの長さの関数である。異なるデフォルト位相角を達成するために、様々な長さのケーブルが異なるアンテナに取り付けられる。これは、様々な長さのケーブルを購入しなければならないことから製造コストについてはわずかに増加させるにとどまるが、設置中におけるエラーの可能性については大幅に増加する。複数のアンテナアセンブリにおいて、ケーブルの長さは、１インチ又はこれより少ない長さだけ異なるのみである。アセンブリ中に、ケーブルが適切にマーキングされていない場合には、アセンブリを行う作業者にとってケーブルの異なるサイズを見分けることは困難である。
【０００８】
位相調整器を移動させるために、アクチュエータは、パネルの横に配設され、手動で当該位相調整器を変化させるために、小さなノブ又は回転可能なディスクを含んでいる。したがって、放射パターンを調整する必要がある場合には、常に、作業者はタワー及び位相調整器に対するパネルの上側を登らなければならない。これは、困難で時間を要するプロセスである。また、肉体労働の行使を要求するならば、アクチュエータを手動で移動させることは単に可能であるが、アンテナがタワーに配設されることから、危険な作業であり、作業者にとって落下するか、そうでなければ登る過程で負傷する可能性がある。
【発明を実施するための最良の形態】
【０００９】
本発明の先の及び他の利点は、以下の詳細な記述を読むとともに、図面を参照することによって明白になる。本発明は、様々な変形例及び選択を可能とするものであるが、ここでは、特定の具体例が図面を介して示され、詳細に記述される。しかしながら、本発明は、開示された特別の形式に制限されたようには意図されないことを理解すべきである。より正確には、本発明は、変形例、等価物、及び追加された請求項によって定義されるような発明の精神及び範囲内にある代案を全て包含するものである。
【００１０】
図１は、本発明のアンテナアセンブリ１００の側面図である。アンテナアセンブリ１００は、パネル１６０に沿って配設された複数のアンテナ１１０，１２０，１３０，１４０，１５０からなる。アンテナ１１０，１２０，１３０，１４０，１５０は、第１のグループ１７０、第２のグループ１８０、及び第３のグループ１９０にグループ化される。第１のアンテナ１１０及び第５のアンテナ１５０は、第１のグループ１７０にある。第２のアンテナ１２０及び第４のアンテナ１４０は、第２のグループ１８０にあり、第３のアンテナ１３０は、第３のグループ１９０にある。
【００１１】
放射パターンを調整するために、アンテナアセンブリ１００の垂直電磁ビームを調整しなければならない。これは、第２のグループ１８０に関する第１のグループ１７０の位相角の調整によって遂行される。しかしながら、第１のグループ１７０は、第２のグループ１８０の量と異なる量だけ調整しなければならない。これを遂行するために、第１の位相調整器２００が第１のグループ１７０に取り付けられ、また、第２の位相調整器２１０が第２のグループ１８０に取り付けられる。第２のグループ１８０の調整量は、多くの場合、第１のグループ１７０の調整量の関数である。第１及び第２のグループ１７０，１８０が正確な比率で調整されることを保証するために、第２の調整器２１０は、第１の調整器の調整が第２の調整器の調整を生じさせるように、第１の調整器２００に接続される。特に、第２の位相調整器２１０は、所定の距離についての第１の位相調整器２００の調整が、距離に比例して第２の位相調整器２１０を移動させるように、第１の位相調整器２００に接続される。
【００１２】
図２は、垂直ビーム又は垂直ビームダウンチルト角を調整するために適応される第１及び第２の位相調整器２００，２１０をそれぞれ図示している。第１の位相調整器２００は、第１のアンテナグループ１７０に連結され、第２の位相調整器２１０は、第２のアンテナグループ１８０に連結される。複数のアンテナ１１０，１２０，１３０，１４０，１５０は、それぞれ、異なる位相角を有している。複数のアンテナ１１０，１２０，１３０，１４０，１５０、又は少なくとも第１及び第２のグループ１７０，１８０のアンテナの位相角の調整により、アンテナアセンブリ１００の垂直ビームは調整される。
【００１３】
第１及び第２の位相調整器２００，２１０は、同じ方法で作動する。単純化のために、第１の位相調整器２００について、より詳細に記述するものとする。位相角を調整するために、導電性のワイパ２２０は、第１の伝送路２４０の第１のアーチ状部分２３０上でスライドする。第１の伝送路２４０の一方の端部は、第１のアンテナ１１０に連結される一方で、第１の伝送路２４０の他方の端部は、第５のアンテナ１５０に連結される。第１のアーチ状部分２３０に関して導電性のワイパ２２０は、コンデンサとして動作する。コンデンサは、アンテナ１１０，１５０に対して高周波では短絡回路とみなされる。短絡点までの第１の伝送路２４０の長さは、アンテナの位相角に影響する。導電性のワイパ２２０が第１のアーチ状部分２３０上でスライドした場合には、短絡回路の位置は変化することから、第１の伝送路２４０の長さは変化し、よって２つのアンテナ１１０，１５０の位相角も変化する。アンテナ１１０，１５０が、第１の伝送路２４０の両端部に位置することから、短絡回路の移動は、１つのアンテナからみれば１つの伝送路を延長する一方で、他のアンテナからみれば伝送路を短縮する。換言すれば、伝送路は、有限長を有している。伝送路の有限長は、第１の有効長及び第２の有効長に分割される。第１の有効長は、第１のアンテナ１１０から伝送路２４０上のワイパ２２０の位置までである。第２の有効長は、第５のアンテナ１５０から伝送路２４０上のワイパ２２０の位置までの長さがある。ワイパ２２０が第１のアンテナ１１０の方へと調整される場合には、第１の有効長は短縮される一方で、第２の有効長は延長される。
【００１４】
この特定の具体例において、導電性のワイパ２２０は、金属製の側を備えた第１の回転可能なＰＣボード２５０である。第１の伝送路２４０は、個別の固定ＰＣボード２６０上に実装される。固定ＰＣボード２６０及び第１の回転可能なＰＣボード２５０は、コンデンサ間の誘電体の役割を果たす。従来のシステムにおいては、空気誘電体が時々使用されていた。しかしながら、導電性のワイパが第１のアーチ状部分２３０に関してその間隔を変化させる場合には、コンデンサの容量は、位相シフタのインピーダンスマッチを変化させるように変化する。２つのセクションが接触する場合には、容量は破壊され、それはアンテナの性能によって一層の悪影響を及ぼすことになる。他のシステムは、碍子及びポイントファスナを使用して実装されなければならない伝送路から導電性のワイパを分割するために、シート誘電体を使用する。しかしながら、このシートは、容量効果を減衰させる傾向がある。誘電体としてＰＣボードを使用することにより、導電性のワイパは、伝送路に接触することができず、また、容量効果も減衰させられない。また、ＰＣボードを製造するための製造コストは、シート誘電体を実装しなければならない場合よりもはるかに低い。
【００１５】
第１の回転可能なＰＣボード２５０は、当該第１の回転可能なＰＣボード２５０についての回動軸点の役割を果たすジョイント２７０を介して固定ＰＣボード２６０に軸接される。他端であるジョイント２８０では、第１の回転可能なＰＣボード２５０は、第１のスロット２５５をスライドするように実装される。アクチュエータ・ロッド５００及びメインアーム５００ａを含む記述された機械アクチュエータは、第１のアーチ状部分２３０上のアーチ状の経路における第１の回転可能なＰＣボード２５０を移動させ、これにより、上述したように、アンテナ１１０，１５０の位相角を変化させる。
【００１６】
容量効果を増加させるために、第１のアーチ状部分２３０上でスライドする第１の回転可能なＰＣボード２５０の端部２９０は、屈曲させてもよい。第１の回転可能なＰＣボード２５０の端部２９０の曲率半径は、第１のアーチ状部分２３０の曲率半径と同じである。また、第１の回転可能なＰＣボード２５０及び第１のアーチ状部分２３０は、ともに、ジョイント２７０に位置する同じ中心点を有している。アーチ状部分２３０に沿って完全に配設することにより、容量は増加し、第１の位相調整器２００の有効性を増加させる。
【００１７】
第１の伝送路２４０は、受信電力のための入力端子３００に電気的に接続される。第１の回転可能なＰＣボード２５０はまた、入力端子３００に電気的に接続される。第１の伝送路２４０は、第１の出力端子３１０で図１に示す第１のアンテナ１１０に連結され、また、第５の出力端子３２０で図１に示す第５のアンテナ１５０に連結される。コンデンサが図２上でマーキングされている"０"にセットされた場合には、アンテナ１１０，１５０は、それぞれ、デフォルト位相角を有している。アンテナ１１０のデフォルト位相角は、第１の伝送路２４０及びアンテナ１１０に対して第１の伝送路２４０を接続する図示しないケーブルラインの長さの関数である。第１の伝送路２４０は、第１のアーチ状部分２３０から第１の出力端子３１０までを導く第１の経路３３０を含む。第１の経路３３０の長さは、第１のアンテナ１１０のデフォルト位相角によって決定される。第１の伝送路２４０はまた、第５の出力端子３２０に第１のアーチ状部分２３０を接続する第２の経路３４０を有している。第２の経路３４０の長さは、第５のアンテナ１５０のデフォルト角度によって決定される。第１の経路３３０及び第５の経路３４０の長さを変えることにより、同じ長さのケーブルを、出力端子に対してアンテナを接続するために設置において使用することができ、それは設置をより容易とする。
【００１８】
第２の位相調整器２１０は、第１の位相調整器２００と同じ方法で動作する。第２の回転可能なＰＣボード３５０は、固定ＰＣボード２６０上に実装され、入力端子３００に電気的に連結される。第２の回転可能なＰＣボード３５０は、ジョイント３５５の周囲を回転可能とされ、また、このジョイント３５５を介して固定ＰＣボード２６０に接続される。第２のアーチ状部分３７０、第１の経路３８０、及び第２の経路３９０を有する第２の伝送路３６０はまた、入力端子３００に電気的に接続される。第２の回転可能なＰＣボード３５０は、コンデンサを作るために、第２のアーチ状部分３７０上を滑走する。第２の回転可能なＰＣボード３５０は、アクチュエータ・ロッド５００及びメインアーム５００ａを含む機械アクチュエータによって移動される。メインアーム５００ａは、固定ＰＣボード２６０における第２のスロット４０５に位置するジョイント３９５で記述されるリンケージを介してボード３５０に接続される。第２の伝送路３６０の第１の経路３８０は、第２のアンテナ１２０（図１)に連結された第２の出力端子４００に接続され、一方、第２の伝送路３６０の第２の経路３９０は、第４のアンテナ１４０に連結された第４の出力端子４１０に接続される。第１の位相調整器２００により、第１及び第２の経路３８０，３９０の長さは、適切なデフォルト位相角を作るために調整される。
【００１９】
また、第３のアンテナ１３０に接続される第３の出力端子４３０に連結された第３の伝送路４２０は、入力端子３００に接続される。第３の伝送路４２０は、適切なデフォルト位相角を作るための長さを有する。様々な伝送路２４０，３６０，４２０の個々の経路３３０，３４０，３８０，３９０，４２０は全て、適切なデフォルト位相角を作るために調整されることから、同じ長さケーブルは、アンテナ１１０，１２０，１３０，１４０，１５０を、それぞれの出力端子３１０，４００，４３０，４１０，３２０に接続するために使用することができる。これは、製造をより容易とするのみならず、さらに、出力端子に誤った長さのケーブルを接続するという設置中のエラーの可能性を除去する。
【００２０】
入力端子３００は、パワーディバイダとして動作して第１及び第２の位相調整器２００，２１０並びに第３の伝送路４２０への電力をブリードオフする導電性のストリップ４４０に接続される。導電性のストリップ４４０は、確立されたインピーダンスを有している。ストリップ４４０のインピーダンスは、当該ストリップ４４０の幅の関数である。導電性のストリップ４４０の幅を変化させることにより、インピーダンス及びこれにともない電力は変化する。本発明において、導電性のストリップ４４０は、第１のストリップ４５０、第２のストリップ４６０、及び第３のストリップ４７０に分岐する。第１のストリップ４５０は、導電性のストリップ４４０から第１の位相調整器２００へと電力を伝達する。第２のストリップ４６０は、導電性のストリップ４４０から第２の位相調整器２１０へと電力を伝達し、第３のストリップ４７０は、導電性のストリップ４４０から第３の伝送路４２０へと電力を伝達する。第１、第２及び第３のストリップ４５０，４６０，４７０のそれぞれの幅は、導電性のストリップ（又はパワーディバイダ）４４０から正確な量の電力を取り出すために製造される。固定ＰＣボード２６０上でパワーディバイダを使用することにより、延長ケーブルは除去され、これにより、コストが低減し、アンテナアセンブリ１００の信頼度がさらに増加する。本発明の他の実施例においては、導電性のストリップは、アーチ状部分２３０，３７０に沿った第１及び第２の伝送路２４０，３６０上の電力を分割するために含ませることができる。
【００２１】
常置の位置において、第１及び第２の位相調整器をロックすることはときどき望ましい。現在のシステムにおいては、位相調整器は、マーキング又はその他同種のものを含んでいないことから、製造時に所定の位置にロックされていた。しかしながら、本発明の１つの実施例においては、固定ＰＣボード２６０が、第１のスロット２５５上のマーカ４８０ａの第１のセット、及び第２のスロット４０５上のマーカ４８０ｂの第２のセットを含んでいる。マーカ４８５ａ，４８５ｂのセットは、第１及び第２の位相調整器２００，２１０の位相角設定を視認する方法をユーザに提供する。ロック機構４８５は、セット位置において、第１及び第２の位相調整器２５０，３５０をロックするために含まれている。１つの具体例において、一連のスルーホール４９０ａ，４９０ｂはまた、固定ＰＣボード２６０上に含まれていてもよく、第１及び第２の回転可能なＰＣボード２５０，３５０上でスルーホール４９５ａ，４９５ｂに沿って配設されていてもよい。図示しないネジは、第１の又は第２の回転可能なＰＣボード２５０，３５０を固定ＰＣボード２６０に対してロックするために使用されてもよい。位相角をロックする必要があるか否かを把握することなく、第１及び第２の位相調整器２００，２１０に対して固定ＰＣボード２６０を組み付けることができることから、マーキング及びロックシステムを使用することは、大きな改良である。したがって、この装置は、受注されている購入オーダに先立って製造されてもよい。一旦購入オーダがなされた場合には、マーキング及びロックシステムは、要望に応じて、第１及び第２の位相調整器２００，２１０を適所にロックするために使用することができる。
【００２２】
さて、図２乃至図４を参照すると、図２は、固定ＰＣボード２６０の正面図である。図３は、アンテナアセンブリ１００のパネル１６０の側面及び固定ＰＣボード２６０の背面の斜視図である。図４は、図３を拡大した詳細である。図３及び図４においては、２つの類似するＰＣボード２６０，２６１が示されており、ＰＣボード２６０，２６１は、それぞれ、１対の第１及び第２の位相調整器２００，２１０を有している。両方の対は、同じ方法で作動するものであり、複数のＰＣボード２６０，２６１が単一のパネル上に実装されるかもしれないことを実証するために例証されるだけであり、両方とも、同じ機械アクチュエータ（ロッド５００及びメインアーム５００ａ）に連結されている。上述したように、第１の位相調整器２００は、切り抜かれた第１のアーチ状のスロット２５５を備えた固定ＰＣボード２６０と、固定ＰＣボード２６０の他側にある第１の回転可能なＰＣボード又はワイパ２５０（図２）とからなる。第２の位相調整器２１０は、固定ＰＣボード２６０と、第２の回転可能なＰＣボード又はワイパ３５０（図２）と、第２のアーチ状のスロット４８５とからなる。第１及び第２の回転可能なＰＣボード２５０，３５０を回転させるために、メインアーム５００ａは、当該回転可能なＰＣボード２５０，３５０に連結される。
【００２３】
１つの具体例においては、機械アクチュエータがアクチュエータ・ロッド５００と、メインアーム５００ａと、第１のアーム５１０及び第２のアーム５２０からなるリンケージとからなる。メインアーム５００ａは、回動軸点５１１で第１のアーム５１０の一方の端部に接続される。第１のアーム５１０の他方の端部は、ジョイント２７０で固定ＰＣボード２６０及び第１の回転可能なＰＣボード２５０に接続される。このジョイント２７０の横断面は、第１の回転可能なＰＣボード２５０、固定ＰＣボード２６０、及び第１のアーム５１０の全てが接続した３つの層があることを示すであろう。固定ＰＣボード２６０が静止していることから、第１のアーム５１０及び第１の回転可能なＰＣボード２５０はまた、ジョイント２７０で固定された状態を保つ。ジョイント２８０は、固定ＰＣボード２６０上の第１のスロット２５５を介して第１のアーム５１０に第１の回転可能なＰＣボード２５０を接続する。
【００２４】
第２のアーム５２０は、ジョイント３９５で第２のスロット４０５を介して第２の回転可能なＰＣボード３５０に接続される。したがって、第２のアーム５２０の移動は、第２の回転可能なＰＣボード３５０を第２のスロット４０５に沿って移動させる。第２のアーム５２０はまた、第１のアーム５１０上におけるジョイント２７０とジョイント２８０とのほぼ中間にジョイント５２２で回転可能に接続される。したがって、第１のアーム５１０が移動されると、第２のアーム５２０も移動することになる。第２のアーム５２０が中間点で第１のアーム５１０にリンクされることから、第１のアーム５１０のジョイント５１２が所定の距離だけ移動すると、第２のアーム５２０の第２のジョイント３９５は、上記所定の距離の約半分の距離だけ移動する。他の具体例においては、第２のアーム５２０が、第１及び第２の位相調整器２００，２１０の間の移動についての所望の比率に応じて、第１のアーム５１０上での異なる位置に取り付けられる。
【００２５】
図５は、パネル１６０の底面５３０を過ぎて外に伸びるアクチュエータ・ロッド５００の把持端部５０５を図示している。アクチュエータ・ロッド５００の把持端部５０５は、パネル１６０の底面５３０に実装される。アクチュエータ・ロッド５００をパネル１６０の底面５３０を過ぎて外に伸ばすことにより、手動で機構を調整する作業者は、先行技術において行われるようにパネル１６０の横に配設された小さなノブ又はディスクを回転させなければならない代わりに、アクチュエータ・ロッド５００を引っ張るか押すだけでよい。また、アクチュエータ・ロッド５００の把持端部５０５は、機構を調整する作業者によってなされた調整量を示すマーキング５３５を含んでおり、ノブ５３６は、アクチュエータ・ロッド５００のネジ端部５３８を覆うようにして示される。マーキング５３５は、ビームの垂直ダウンチルト角と直接の関係を有している。例えば、ロッド上の"０"マーキングは、０度のダウンチルト角と関連する。マーキング５３５は移動止めされていないことから、ユーザは、必要に応じて、ダウンチルト角を調整してもよい。ダウンチルト角は、度単位又は半度単位のインクリメントで移動される必要がない。ノブ５３６は、ネジ端部５３８上で捩られ、ユーザが移動の目的でアクチュエータ・ロッド５００を容易に把持することを可能とする。
【００２６】
アクチュエータ・ロッド５００は、軸受筒マウント５４０によってパネル１６０の底面５３０上に実装される。軸受筒マウント５４０は、図６(ａ)乃至図６(ｂ)において最もよく図示される。軸受筒マウント５４０は、パネル１６０に取り付けられた１対のブラケット５５０ａ，５５０ｂからなる。具体例に示すように、ブラケット５５０ａ，５５０ｂは、１対のネジ５６０ａ，５６０ｂによって取り付けられる（図５に示すように）。しかしながら、リベット、粘着性の熱縄張り、溶接及び鑞接のようなその他の方法が利用されてもよいことは熟考される。
【００２７】
軸受筒マウント５４０はまた、アクチュエータ・ロッド５００を受けるために適応される円筒状部分５６０を有する。軸受筒マウント５４０の円筒状部分５６０は、アクチュエータ・ロッド５００を上下にスライドさせるように移動可能とすることを許容する。しかしながら、アクチュエータ・ロッド５００が円筒状部分５６０の内部で回転するのを防ぐために、水平セクション５７０（図６(ｂ)）が円筒状部分５６０の内壁に含まれている。円筒状部分５６０の一方の端部は、以下に詳述するネジ部分５６５を含む。
【００２８】
上述したように、アクチュエータ・ロッド５００の把持端部５０５は、マーキング５３５を含む。軸受筒マウント５４０は、ユーザがマーキング５３５（図６(ｃ)参照）を視認することを可能にするために、円筒状部分５６０の反対側にあるインジケータウィンドウ５９０を含む。また、１つの具体例においては、マーキング５３５が全てユーザに視認できるように、軸受筒マウント５４０は、透明なプラスチックとされる。
【００２９】
図７及び図８に示すように、圧縮ナット５９５はまた、アクチュエータ・ロッド５００上をスライドする。圧縮ナット５９５は、ネジナット６００、プラスチック把持部６１０、及び金環６２０の３つの部分を含む。圧縮ナット５９５のネジナット６００は、軸受筒マウント５４０のネジ部分５６５上で捩られ、アクチュエータ・ロッド５００を適所にロックする役割を果たす。ネジナット６００が軸受筒マウント５４０のネジ部分５６５上で捩られた場合には、プラスチック把持部６１０及び金環６２０は、軸受筒マウント５４０に対して間に挟まれる。金環６２０は、軸受筒マウント５４０に対するシールとしての役割を果たす。プラスチック把持部６１０は、ネジナット６００が軸受筒マウント５４０に対して締められると幅方向に減少するスリット６２５を包含する。これは、圧縮ナット５９５に軸受筒マウント５４０を把持させ、アクチュエータ・ロッド５００を適所にロックする。
【００３０】
手動アクチュエータを有していることは有用であるが、例えばコントロールルーム６３０（図８(Ａ)）といった地面から又は遠隔操作でコントロールされる電気アクチュエータを有していることは、より望ましい。図９においては、上述した手動アクチュエータの電気アクチュエータ６６０への変換が図示されている。電気アクチュエータ６６０は、図示しないピストンと、ネジバレル６７０とからなる。手動アクチュエータを変換するために、圧縮ナット５９５及びノブ５３６は、最初に除去されるに違いない。そして、ロックナット６５０は、軸受筒マウント５４０上に挿通される。アクチュエータ・ロッド５００のネジ端部５３８は、ピストン内に挿通される。そして、電気アクチュエータ６６０のバレル６７０は、軸受筒マウント５４０のネジ部分５６５の方へ押し上げられ、挿通される。一旦ピストン及びネジバレルの両方が完全にアクチュエータ・ロッド５００の上に挿通された場合には、ロックナット６５０は、締められ、ネジバレル６７０に軸受筒マウント５４０をロックする。
【００３１】
電気アクチュエータ６６０は、パネル１６０に関して固定位置にあるステップモータであってもよい。ステップモータは、回転し、ネジ又はシャフトを直線運動的に駆動する。ネジ又はシャフトは、アクチュエータ・ロッド５００に連結され、これにより、ステップモータの回転に応じて、アクチュエータ・ロッド５００を上下に移動させる。電気アクチュエータ６６０は、遠隔のソース７０２から調整信号を受信するために適応されるレシーバ７００を含んでいてもよいことはまた熟考される。アクチュエータ・ロッド５００の位置を検出するために適応されるセンサ７０４もまた含まれていてもよい。トランスポンダ７０６もまた、遠隔の位置又はなされた調整量を指示する信号ボックスに対して信号を返信するために含まれていてもよい。
【００３２】
したがって、本発明は、手動アクチュエータからユーザのニーズ及び希望に応じた電気アクチュエータへと容易に変換される。アクチュエータは、手動アクチュエータを購入して後日電気アクチュエータへとアップグレードすることをユーザに許容するものであり、使用の柔軟性を提供するものである。これに対する利点は多い。ユーザは、ほとんど垂直ビームを調整する必要がないならば、当初は電気アクチュエータに支払うべき金銭を消費したいと思わないかもしれない。しかしながら、その必要性が変化した場合には、ユーザは、電気アクチュエータを購入し、容易にアクチュエータを変換することができる。
【００３３】
本発明は、１つ以上の特定の具体例について記述されていたが、当該技術に熟練している人々は、多くの変更が、請求項で述べられる本発明の精神及び範囲から外れずに行なわれるかもしれないことを認識するであろう。請求項で述べられる要求された本発明の精神及び範囲内で、これら各具体例及び明白な変更は熟考される。
【図面の簡単な説明】
【００３４】
【図１】図１は、本発明のアンテナアセンブリの図である。
【図２】図２は、本発明の１つの実施例による位相調整器アセンブリの概要を示す図である。
【図３】図３は、本発明の１つの実施例によるパネル及び位相調整器アセンブリの側面の斜視図である。
【図４】図４は、図３において示されるセクションＢを拡大した図である。
【図５】図５は、図３において示されるセクションＡを拡大した図である。
【図６（ａ）】図６(ａ)は、本発明の１つの実施例による軸受筒マウントの正面図である。
【図６（ｂ）】図６(ｂ)は、本発明の１つの実施例による軸受筒マウントの端部の図である。
【図６（ｃ）】図６(ｃ)は、本発明の１つの実施例による軸受筒マウントの側面図である。
【図７】図７は、本発明の１つの実施例によるアクチュエータ・ロッドの各部の関連を示す斜視図である。
【図８】図８は、本発明の１つの実施例による圧縮ナットの斜視図である。
【図８（Ａ）】図８(Ａ)は、本発明の１つの実施例による地上のコントローラを有しているアクチュエータ・ロッド及び電気アクチュエータの斜視図である。
【図９】図９は、本発明の１つの実施例によるアクチュエータ・ロッド及び電気アクチュエータの斜視図である。
【図１】
2004521542.tif 000003
【図２】
2004521542.tif 000004
【図３】
2004521542.tif 000005
【図４】
2004521542.tif 000006
【図５】
2004521542.tif 000007
【図６（ａ）】
2004521542.tif 000008
【図６（ｂ）】
2004521542.tif 000009
【図６（ｃ）】
2004521542.tif 000010
【図７】
2004521542.tif 000011
【図８】
2004521542.tif 000012
【図８（Ａ）】
2004521542.tif 000013
【図９】
2004521542.tif 000014
【国際公開パンフレット】
2004521542.tif 000015
2004521542.tif 000016
2004521542.tif 000017
2004521542.tif 000018
2004521542.tif 000019
2004521542.tif 000020
2004521542.tif 000021
2004521542.tif 000022
2004521542.tif 000023
2004521542.tif 000024
2004521542.tif 000025
2004521542.tif 000026
2004521542.tif 000027
2004521542.tif 000028
2004521542.tif 000029
2004521542.tif 000030
2004521542.tif 000031
2004521542.tif 000032
2004521542.tif 000033
2004521542.tif 000034
2004521542.tif 000035
2004521542.tif 000036
2004521542.tif 000037
2004521542.tif 000038
2004521542.tif 000039
2004521542.tif 000040
【国際調査報告】
2004521542.tif 000041